(57)【要約】【課題】  ボルトの頭部の突出感が少なく景観的に良好で、しかも、構造が簡単で部品コストが安く、施工性が良好なビームパイプ継手構造を提供する【解決手段】  支柱２にブラケット６を介してインナースリーブ７を固定し、インナースリーブ７にビームパイプ３の端部を外嵌させ、上から下に貫通するボルト１３及びこれに螺合させた下側のナット１４により、ビームパイプ３をインナースリーブ７に固定したビームパイプ継手構造である。ボルト１３の頭部２０は、上から見て円形又は長円形であり、その上面が上に凸の湾曲面をなしかつ下面がビームパイプ３の外周面に沿う湾曲面をなして、全体としてビームパイプ３の外周面に沿う厚みの薄い湾曲形状をなしている。【選択図】  図１
2006097377.tif 000002
【特許請求の範囲】
【請求項１】
支柱の前面又は後面にブラケットを介してインナースリーブをビームパイプ長手方向の向きで固定し、このインナースリーブにビームパイプの端部を外嵌させ、この外嵌部を上から下に貫通するボルト及びこれに螺合させた下側のナットにより、ビームパイプをインナースリーブに固定してなる防護柵のビームパイプ継手構造であって、
前記ボルトの頭部は、上から見て円形又は長円形であり、その上面が上に凸の湾曲面をなしかつ下面がビームパイプの外周面に沿う湾曲面をなして、全体としてビームパイプの外周面に沿う厚みの薄い湾曲形状をなすことを特徴とする防護柵のビームパイプ継手構造。
【請求項２】
前記ボルトの頭部の上面は、中央部近傍の曲率半径が大きく周縁部の曲率半径が小さい湾曲面であることを特徴とする請求項１記載の防護柵のビームパイプ継手構造。
【請求項３】
前記ボルトの頭部の下面部に、ビームパイプにあけたボルト挿通用長穴に嵌合する回り止め用の長円状の角根を形成したことを特徴とする請求項１又は２記載の防護柵のビームパイプ継手構造。
【請求項４】
前記ボルトの頭部及び角根が上から見て長径方向が一致する長円形であり、かつ、前記長径方向がビームパイプの長手方向と一致していることを特徴とする請求項３記載の防護柵のビームパイプ継手構造。
【請求項５】
前記ボルトの頭部及び角根が上から見て長径方向が互いに直交する長円形であり、かつ、ボルトの頭部の長径方向がビームパイプの長手方向と直交していることを特徴とする請求項３記載の防護柵のビームパイプ継手構造。
【発明の詳細な説明】
【技術分野】
【０００１】
この発明は、道路に沿って連続するビームパイプを支柱で支持する構造の防護柵のビームパイプ継手構造に関する。
【背景技術】
【０００２】
本発明を適用しようとする防護柵の一例を示した図１２、図１３のように、道路に沿って連続する平行な複数本のビームパイプ３を支柱２で支持する構造の防護柵１は一般にガードパイプと称され、広く道路に設置されている。
【０００３】
近年、市街地及び自然・田園地域の景観に対する要求が高まっているが、そのなかで道路景観のウエイトは大きい。道路に沿って連続的に設置される防護柵は、道路景観にとって大きな要素となることを考慮して、国土交通省道路局において「景観に配慮した防護柵の整備ガイドライン」が策定され、これに伴い「防護柵の設置基準」の見直しが行われた事情にある。この「景観に配慮した防護柵の整備ガイドライン」に記載された種々の事項の中で、防護柵のボルト・ナット類の露出ないし突出を極力避けるべきであるとされていることから、今後の防護柵にはそのようなニーズに応えることが求められている。
【０００４】
ビームパイプ継手構造は一般に、支柱にブラケットをボルトで固定し、ブラケットにインナースリーブの中央部をボルトで固定し、ビームパイプをインナースリーブにボルトで固定する構造が採用されている。この種のビームパイプ継手構造において、特にビームパイプをインナースリーブに固定するボルトの頭部を隠蔽する構造あるいは突起を極力少なくする構造として、種々のものが提案されている。
【０００５】
例えば特許第３３４６９５３号（特許文献１）の「柵のビームパイプ用継手」では、ブラケット部とインナースリーブ部とを一体鋳造して１つの部品とするとともに、インナースリーブ部の下面側に、ビームパイプ固定用のねじ穴を形成した構造としている。
これにより、ビームパイプの下面から挿入したボルトがインナースリーブ部の下面側のねじ穴に螺合し締着されて、ビームパイプがインナースリーブに固定される。したがって、ビームパイプの下面側にボルト頭部が露出するが、ビームパイプの上面側にはボルト・ナット類は一切露出しない。
【０００６】
また、特開２００３−１７６５１３号（特許文献２）の「防護柵」では、ビームパイプをインナースリーブに、上から下に貫通するボルトで固定しているが、ビームパイプのボルト挿通用穴の周縁部を凹ませて、ボルト頭部を収容する凹所を形成している。ボルト頭部がこの凹所に収容されることで、ボルト頭部がビームパイプの外周面から突出しない。
【０００７】
また、特開平７−２５９０３８号（特許文献３）の「防護柵用継ぎ手」では、インナースリーブの内部の下面側に、ビームパイプ固定用のボルトが螺合するナットを予め溶接固定しておくことで、特許文献１と同様に、ビームパイプの下面から挿入したボルトがインナースリーブ内のナットに螺合し締着されて、ビームパイプがインナースリーブに固定され、したがって、ビームパイプの下面側にボルト頭部が露出するが、ビームパイプの上面側にはボルト・ナット類は一切露出しない。
【特許文献１】特許第３３４６９５３号の図１、図３等
【特許文献２】特開２００３−１７６５１３号の図２、図３、図６等
【特許文献３】特開平７−２５９０３８号
【発明の開示】
【発明が解決しようとする課題】
【０００８】
上記従来の特許文献１や特許文献３の構造は、ボルト・ナット類がビームパイプの上面に露出しない点で美感に優れ、景観上好ましいものであるが、下面側からボルトを挿入する点で作業性が悪い。また、特許文献１のような鋳造部品はコストが高くなる。また、特許文献３のように、インナースリーブの内部にナットを溶接固定する作業は煩雑であり、やはり部品コストが高くなる。
【０００９】
また、特許文献２のように、ビームパイプの上面部に凹所を形成するものは、ボルト頭部が突出しない点では好ましいと言えるが、凹所があることは美感的に好ましいとは言えない。また、ビームパイプ自体の仕様変更を伴い、かつビームパイプに凹所を形成する加工が煩雑であり、やはり部品コストが高くなる。
【００１０】
本発明は上記従来の欠点を解消するためになされたもので、インナースリーブやビームパイプ側の仕様変更を必要とせず、かつ構造が簡単で部品コストが安く、かつ施工性が良好でありながら、ボルトの頭部の突出感が少なく景観的に良好なビームパイプ継手構造を提供することを目的とする。
【課題を解決するための手段】
【００１１】
上記課題を解決する本発明は、支柱の前面又は後面にブラケットを介してインナースリーブをビームパイプ長手方向の向きで固定し、このインナースリーブにビームパイプの端部を外嵌させ、この外嵌部を上から下に貫通するボルト及びこれに螺合させた下側のナットにより、ビームパイプをインナースリーブに固定してなる防護柵のビームパイプ継手構造であって、
前記ボルトの頭部は、上から見て円形又は長円形であり、その上面が上に凸の湾曲面をなしかつ下面がビームパイプの外周面に沿う湾曲面をなして、全体としてビームパイプの外周面に沿う厚みの薄い湾曲形状をなすことを特徴とする。
【００１２】
請求項２は、請求項１の防護柵のビームパイプ継手構造において、ボルトの頭部の上面が、中央部近傍の曲率半径が大きく周縁部の曲率半径が小さい湾曲面であることを特徴とする。
【００１３】
請求項３は、請求項１又は２の防護柵のビームパイプ継手構造において、ボルトの頭部の下面部に、ビームパイプにあけたボルト挿通用長穴に嵌合する回り止め用の長円状の角根を形成したことを特徴とする。
【００１４】
請求項４は、請求項３の防護柵のビームパイプ継手構造において、ボルトの頭部及び角根が上から見て長径方向が一致する長円形であり、かつ、前記長径方向がビームパイプの長手方向と一致していることを特徴とする。
請求項５は、請求項３の防護柵のビームパイプ継手構造において、ボルトの頭部及び角根が上から見て長径方向が互いに直交する長円形であり、かつ、ボルトの頭部の長径方向がビームパイプの長手方向と直交していることを特徴とする。
【発明の効果】
【００１５】
本発明によれば、ビームパイプをインナースリーブに固定するボルトの頭部が、その上面が上に凸の滑らかな湾曲面をなしかつ下面がビームパイプの外周面に沿う湾曲面をなし、頭部全体としてビームパイプの外周面に沿う厚みの薄い湾曲形状なしているので、ボルト頭部の突出感は少なく、ボルト頭部が目立たず景観を損なわない優れた外観のビームパイプ継手構造が得られる。
また、ボルト頭部の上面が滑らかな湾曲面をなすので、ボルト頭部で衣服や身体に損傷を与える恐れも少ない。
また、ボルト頭部が目立たない構造を得る手段としては、ボルト頭部を変更するのみで済み、ブラケットやインナースリーブやビームパイプ側の仕様を変更する必要がないので、景観に優れたビームパイプ継手構造とするためのコストを安くできる。
また、ボルトは上から挿入するので、従来の下側からボルトを上向きに挿入する構造と比較して、作業がし易く施工性が良好である。
また、構造が簡単で、かつ部品点数が少ないので、この点でも作業が容易で施工性がよく、施工コストが安く済む。
【００１６】
請求項２によれば、ボルト頭部の上面形状が、中央部近傍の曲率半径が大きく左右の縁部の曲率半径が小さいので、ボルト頭部の突出感がさらに少なくなっており、ボルト頭部が目立つことはさらに少なくなる。
【００１７】
請求項３〜５によれば、ボルトの頭部下面に角根が形成されて回り止めが図られているので、ボルトに螺合させたナットを回す際に、ボルトが伴回りすることがなく、作業が容易で施工性がよい。
【発明を実施するための最良の形態】
【００１８】
以下、本発明の防護柵のビームパイプ継手構造の実施例を図１〜図１３を参照して説明する。
【実施例１】
【００１９】
図１２、図１３は本発明を適用しようとする防護柵１の全体構造を概略示すもので、２は支柱、３はビームパイプである。図１３で支柱２の左側が車道、右側が歩道又は路肩である。
ビームパイプ３は、図１〜図４に示すように、ブラケット６、インナースリーブ７及びボルト、ナット等からなるビームパイプ継手構造４により支柱２に固定される。
【００２０】
前記ブラケット６は、鋼板を折り曲げて成形したもので、コ字形の上下辺先端側をそれぞれ内側に円弧状に湾曲させた断面形状であり、コ字形の基部６ｃ側で支柱２に固定され、先端側の僅かに隙間のある横向きＵ字形部６ｄ内にインナースリーブ７が通される。このブラケット６は、その基部６ｃを、支柱２の後面側から貫通させたボルト８とこれに螺合させたナット９とにより締着して、支柱２に固定される。６ｅはボルト８を通すボルト挿通穴である。
【００２１】
前記インナースリーブ７は、ブラケット６の横向きＵ字形部６ｄ内に通され、その長手方向中央部がインナースリーブ固定用のボルト１０とナット１１とでブラケット６の横向きＵ字形部６ｄに固定される。ナット１１には平坦な座金１５を介在させている。ブラケット６にあけた上下のボルト挿通用長穴を６ａ及び６ｂで示す。このボルト挿通用長穴６ａ、６ｂの長径方向はビーム長手方向である。インナースリーブ７の中央部にあけた上下のボルト挿通用の丸穴を７ｃ、７ｄで示す。
【００２２】
前記ビームパイプ３は、ブラケット６に固定されたインナースリーブ７の左右延出部分に外嵌し、この外嵌部を上から下に貫通するビームパイプ固定用のボルト１３とこれに螺合させた下側のナット１４とにより、インナースリーブ７に固定されている。ナット１４には平坦な座金１６を介在させている。ビームパイプ３にあけたボルト挿通用長穴を３ａ、３ｂで示し、インナースリーブ７にあけたボルト挿通用長穴を７ａ、７ｂで示す。これらのボルト挿通用長穴３ａ、３ｂ及び７ａ、７ｂの長径方向はビーム長手方向である。
【００２３】
ビームパイプ３をインナースリーブ７に固定する前記ビームパイプ固定用のボルト１３の詳細を図５、図６を参照して説明する。図５（イ）はボルト１３の正面図（但し、図１（ロ）の側面図に相当する）、図５（ロ）は同平面図である。図６（イ）は図５のボルト１３の頭部２０の拡大図、図６（ロ）は図６（イ）の側面図、図６（ハ）は図６（イ）のＣ−Ｃ断面図である。これらの図に示すように、このボルト１３は、その頭部（ボルト頭部）２０が特殊形状をしている。すなわち、このボルト頭部２０は、上から見て円形であり、その上面が上に凸の滑らかな湾曲面をなしかつ下面２０ａがビームパイプ３の外周面に沿う湾曲面をなし、頭部全体としてビームパイプ３の外周面に沿う厚みの薄い湾曲形状なしている。
なお、ボルト頭部２０の上から見た形状を真円でなく、図５（ロ）の上下方向の径を若干短くしてもよい。
【００２４】
この実施例では、ボルト頭部２０の下面部に、ビームパイプ３にあけたビームパイプ挿通用長穴３ａに嵌合する回り止め用の角根２１を形成している。この角根２１は図５（ロ）に示すように、ビームパイプ３のボルト挿通用長穴３ａより全体的にわずかに小さな長円形状であり、その長径方向がビームパイプ３の長手方向と一致している。
また、ボルト頭部２０の上面は、中央部近傍の曲率半径が大きく周縁部の曲率半径が小さい湾曲面をなしている。この実施例では、ビームパイプ長手方向から見たボルト頭部２０の形状は、中央部近傍と左右縁部とで曲率半径にあまり差がなく、概ね一定に近い（図６（イ）参照）が、防護柵正面から見た形状は図６（ロ）に示すように、中央部近傍の曲率半径は大きく、左右の縁部の曲率半径は小さく、その曲率半径の差はかなり大である。このため、特に防護柵正面から見たボルト頭部２０の外観は突出感の少ない外観となっている。
【００２５】
上記のビームパイプ継手構造４によれば、ボルト頭部２０が、その上面が上に凸の滑らかな湾曲面をなしかつ下面２０ａがビームパイプ３の外周面に沿う湾曲面をなし、頭部全体としてビームパイプ３の外周面に沿う厚みの薄い湾曲形状なしているので、ボルト頭部２０の突出感は少なく、ボルト頭部２０が目立たず景観を損なわない優れた外観となっている。
特にボルト頭部２０の防護柵正面から見た形状が、中央部近傍の曲率半径が大きく左右の縁部の曲率半径が小さいことで、ボルト頭部２０の突出感がさらに少なくなっており、ボルト頭部２０が目立つことはさらに少なくなっている。
また、ボルト頭部２０の上面が滑らかな湾曲面をなすので、ボルト頭部２０で衣服や身体に損傷を与える恐れも少ない。
また、ボルト頭部を変更するのみで済み、ブラケット６やインナースリーブ７やビームパイプ３側の仕様を変更する必要がない（すなわち、図４に示した各穴の寸法・形状・位置などの変更を必要としない）ので、景観に優れたビームパイプ継手構造とするためのコストを安くできる。
また、ボルト１３は上から挿入するので、従来の下側からボルトを上向きに挿入する構造と比較して、作業がし易く施工性が良好である。
また、ボルト１３の頭部下面に角根２１が形成されて回り止めが図られているので、ボルト１３に螺合させたナット１４を回す際に、ボルト１３が伴回りすることがなく、この点でも作業が容易で施工性がよい。
また、構造が簡単で、かつ部品点数が少ないので、この点でも作業が容易で施工性がよく、施工コストが安く済む。
【実施例２】
【００２６】
図７、図８に、ビームパイプ固定用のボルトの他の実施例を示す。この実施例のボルト１３’は、ボルト頭部２０’の形状が上から見て、図７（ロ）に示すように、長径がビームパイプ長手方向（図７（ロ）の上下方向）と一致する長円形であり、かつ、ボルト頭部２０’の周縁部を面取りしている。面取りしているので、人が触れた時の安全性の面で好ましい。面取りした周縁部を２０’ｂで示す。ボルト頭部２０’の下面の角根２１’は図５、図６の実施例と同じである。すなわち、上から見て、長径がビームパイプ長手方向と一致する長円形である。
【実施例３】
【００２７】
図９に、ビームパイプ固定用のボルトの他の実施例を示す。この実施例のボルト１３”は、ボルト頭部２０”の形状が上から見て、図９（ロ）に示すように、長径がビームパイプ長手方向（図９（ロ）の上下方向）と直交する長円形である。ボルト頭部２０”の周縁部は前記と同様に面取りしている。面取りした周縁部を２０”ｂで示す。ボルト頭部２０”の下面の角根２１”は図５、図６の実施例と同じである。すなわち、上から見て、長径がビームパイプ長手方向と一致する長円形である。したがって、ボルト頭部２０”の長径方向と角根２１”の長径方向が互いに直交している。
【実施例４】
【００２８】
図１０にビームパイプ固定用のボルトのさらに他の３つの実施例を示す。
（イ）、（ロ）に示したボルト３３は、図５のボルト３において角根をなくし、そして頭部３４にボルト締めのための十字穴３４ａを形成したものである。
（ハ）、（ニ）に示したボルト３３’は、図７のボルト３’において角根をなくし、そして頭部３４’に十字穴３４’ａを形成したものである。
（ホ）、（ヘ）に示したボルト３３”は、図９のボルト３”において角根をなくし、そして頭部３４”に十字穴３４”ａを形成したものである。
【実施例５】
【００２９】
上記の実施例では、ビームパイプ固定用のボルト１３に螺合するナット１４に添わせる座金１６は平坦であるが、図１１に示した座金１６’のように、ビームパイプ３の外周面に沿う湾曲面１６’ａを持つものを用いてもよい。
【図面の簡単な説明】
【００３０】
【図１】本発明の一実施例の防護柵のビームパイプ継手構造を示すもので、（イ）は正面図、（ロ）は要部の右側面図である。
【図２】図１のＡ−Ａ断面図である。
【図３】図２のＢ−Ｂ部分断面図である。
【図４】ブラケット、インナースリーブ、ビームパイプのボルト挿通用の穴の形状を説明する図である。
【図５】上記ビームパイプ継手構造におけるビーム固定用のボルトを示すもので、（イ）は正面図（但し図１（ロ）の右側面図に相当）、（ロ）は平面図（但し、ビームパイプも併せて示している）である。
【図６】図５のボルトの頭部の詳細形状を示すもので、（イ）は図５（イ）の要部拡大図、（ロ）は図６（イ）の側面図、（ハ）は図６（イ）のＣ−Ｃ断面図である。
【図７】ビーム固定用のボルトの他の実施例を示すもので、（イ）は正面図、（ロ）は平面図（但し、ビームパイプも併せて示している）である。
【図８】図７のボルトの頭部の詳細形状を示すもので、（イ）は図７（イ）の要部拡大図、（ロ）は図８（イ）の側面図、（ハ）は図８（イ）のＤ−Ｄ断面図である。
【図９】ビーム固定用のボルトのさらに他の実施例を示すもので、（イ）は正面図、（ロ）は平面図（但し、ビームパイプも併せて示している）である。
【図１０】ビーム固定用のボルトのさらに他の実施例を示すもので、（イ）、（ハ）、（ホ）はそれぞれ異なる実施例のボルトの正面図、（ロ）、（ニ）、（ヘ）はそれぞれ（イ）、（ハ）、（ホ）の平面図である。
【図１１】ボルトに螺合するナットに添わせる座金の他の実施例を示す図である。
【図１２】本発明のビームパイプ継手構造が適用される防護柵の全体構造を概略示すもので、（イ）は防護柵の平面図、（ロ）は正面図である。
【図１３】図１２（ロ）の右側面図である。
【符号の説明】
【００３１】
１  防護柵
２  支柱
３  ビームパイプ
３ａ、３ｂ  ボルト挿通用長穴
４  ビームパイプ継手構造
６  ブラケット
６ａ  ボルト挿通用長穴
７  インナースリーブ
７ａ、７ｂ  ボルト挿通用長穴
７ｃ、７ｄ  ボルト挿通用の丸穴
８  ブラケット固定用のボルト
９  ナット
１０  （インナースリーブ固定用の）ボルト
１１  ナット
１３、１３’、１３”、３３、３３’、３３”  （ビームパイプ固定用の）ボルト
１４  ナット
２０、２０’、２０”、３４、３４’、３４”  ボルトの頭部
２１、２１’、２１”  角根
３４ａ、３４’ａ、３４”ａ  十字穴
【図１】
2006097377.tif 000003
【図２】
2006097377.tif 000004
【図３】
2006097377.tif 000005
【図４】
2006097377.tif 000006
【図５】
2006097377.tif 000007
【図６】
2006097377.tif 000008
【図７】
2006097377.tif 000009
【図８】
2006097377.tif 000010
【図９】
2006097377.tif 000011
【図１０】
2006097377.tif 000012
【図１１】
2006097377.tif 000013
【図１２】
2006097377.tif 000014
【図１３】
2006097377.tif 000015